(57)【要約】【課題】移動局のＩＳＲがアクティブな状態における異ＲＡＴ間ハンドオーバ（Ｉｎｔｅｒ-ＲＡＴ  ＨＯ）を適切に行う。【解決手段】本実施形態に係る移動通信方法は、ＵＥのＳ-ＧＷが、ＩＳＲがアクティブ状態のＵＥ用のＥＰＳベアラとして、ＳＧＳＮ＃２との間のＥＰＳベアラを確立する工程と、ＨＳＳが、ＵＴＲＡＮ/ＧＥＲＡＮにおけるＵＥの位置情報を、ＳＧＳＮ＃１配下のセルからＳＧＳＮ＃２配下のセルに変更する工程と、ＨＳＳが、ＳＧＳＮ＃１に対して、「ＭＡＰ_ＣＬ」を送信する工程と、ＳＧＳＮ＃１が、かかる「ＭＡＰ_ＣＬ」に「Ｃａｎｃｅｌｌａｔｉｏｎ  ｔｙｐｅ＝Ｕｐｄａｔｅ  Ｐｒｏｃｅｄｕｒｅ」が含まれている場合に、Ｓ-ＧＷに対して、「ＧＴＰｖ２_Ｄｅｌｅｔｅ  Ｓｅｓｓｉｏｎ  Ｒｅｑｕｅｓｔ」を送信することなく、Ｓ-ＧＷ装置との間のＥＰＳベアラを解放する工程とを有する【選択図】図４
2013055497.tif 000002
【特許請求の範囲】
【請求項１】
移動局のＩＳＲがアクティブな状態において、加入者管理サーバが、該移動局の位置情報として、第１通信方式の第１コアネットワーク装置配下のセル及び第２通信方式の第２コアネットワーク装置配下のセルを管理している場合に、該移動局が、該第１コアネットワーク装置配下のセルから第２通信方式の第３コアネットワーク装置配下のセルにハンドオーバする移動通信方法であって、
前記移動局のサービングゲートウェイ装置が、ＩＳＲがアクティブ状態の該移動局用のベアラとして、前記第１コアネットワーク装置との間のベアラ及び前記第２コアネットワーク装置との間のベアラに加えて、前記第３コアネットワーク装置との間のベアラを確立する工程と、
前記加入者管理サーバが、前記第２通信方式における前記移動局の位置情報を、前記第２コアネットワーク装置配下のセルから前記第３コアネットワーク装置配下のセルに変更する工程と、
前記加入者管理サーバが、前記第２コアネットワーク装置に対して、前記移動局の位置情報を削除するように要求する位置情報削除要求信号を送信する工程と、
前記第２コアネットワーク装置が、前記位置情報削除要求信号に前記移動局の位置情報の更新を示す種別情報が含まれている場合に、前記サービングゲートウェイ装置に対して、該移動局用のベアラを削除するように要求するベアラ削除要求信号を送信することなく、該サービングゲートウェイ装置との間のベアラを解放する工程とを有することを特徴とする移動通信方法。
【請求項２】
移動局のＩＳＲがアクティブな状態において、加入者管理サーバが、該移動局の位置情報として、第１通信方式の第１コアネットワーク装置配下のセル及び第２通信方式の第２コアネットワーク装置配下のセルを管理している場合に、該移動局が、該第１コアネットワーク装置配下のセルから第２通信方式の第３コアネットワーク装置配下のセルにハンドオーバする移動通信方法であって、
前記移動局のサービングゲートウェイ装置が、ＩＳＲがアクティブ状態の該移動局用のベアラとして、前記第１コアネットワーク装置との間のベアラ及び前記第２コアネットワーク装置との間のベアラに加えて、前記第３コアネットワーク装置との間のベアラを確立する工程と、
前記加入者管理サーバが、前記第２通信方式における前記移動局の位置情報を、前記第２コアネットワーク装置配下のセルから前記第３コアネットワーク装置配下のセルに変更する工程と、
前記加入者管理サーバが、前記第２コアネットワーク装置に対して、前記移動局の位置情報を削除するように要求する位置情報削除要求信号を送信する工程と、
前記第２コアネットワーク装置が、前記位置情報削除要求信号に応じて、前記サービングゲートウェイ装置に対して、前記移動局用のベアラを削除するように要求するベアラ削除要求信号を送信し、該サービングゲートウェイ装置との間のベアラを解放する工程と、
前記サービングゲートウェイ装置が、前記第２コアネットワーク装置から、前記ベアラ削除要求信号を受信し、かつ、所定期間内に、前記移動局用のベアラを変更するように要求するベアラ変更要求信号を受信していない場合には、該移動局用のベアラの削除処理を行わない工程とを有することを特徴とする移動通信方法。
【請求項３】
移動局のＩＳＲがアクティブな状態において、加入者管理サーバが、該移動局の位置情報として、第１通信方式の第１コアネットワーク装置配下のセル及び第２通信方式の第２コアネットワーク装置配下のセルを管理している場合に、該移動局が、該第１コアネットワーク装置配下のセルから第２通信方式の第３コアネットワーク装置配下のセルにハンドオーバすることができる移動通信システムにおいて、該第２コアネットワーク装置として動作することができるコアネットワーク装置であって、
前記加入者管理サーバから、前記移動局の位置情報を削除するように要求する位置情報削除要求信号を受信した場合で、かつ、該位置情報削除要求信号に該移動局の位置情報の更新を示す種別情報が含まれている場合に、前記サービングゲートウェイ装置に対して、該移動局用のベアラを削除するように要求するベアラ削除要求信号を送信することなく、該サービングゲートウェイ装置との間のベアラを解放するように構成されていることを特徴とするコアネットワーク装置。
【請求項４】
移動局のＩＳＲがアクティブな状態において、加入者管理サーバが、該移動局の位置情報として、第１通信方式の第１コアネットワーク装置配下のセル及び第２通信方式の第２コアネットワーク装置配下のセルを管理している場合に、該移動局が、該第１コアネットワーク装置配下のセルから第２通信方式の第３コアネットワーク装置配下のセルにハンドオーバすることができる移動通信システムにおいて、該移動局のサービングゲートウェイ装置として動作することができるサービングゲートウェイ装置であって、
前記第２コアネットワーク装置から、前記移動局用のベアラを削除するように要求するベアラ削除要求信号を受信した場合で、かつ、該移動局用のベアラが他のサービングゲートウェイ装置において確立されていると判断した場合には、該移動局用のベアラの削除処理を行わないように構成されていることを特徴とするサービングゲートウェイ装置。
【発明の詳細な説明】
【技術分野】
【０００１】
本発明は、移動通信方法、コアネットワーク装置及びサービングゲートウェイ装置に関する。
【背景技術】
【０００２】
図１１に示すように、従来の３ＧＰＰで規定されている移動通信システムにおいて、ＵＥ（Ｕｓｅｒ  Ｅｑｕｉｐｍｅｎｔ、移動局）のＩＳＲ（Ｉｄｌｅ-ｍｏｄｅ  Ｓｉｇｎａｌｉｎｇ  Ｒｅｄｕｃｔｉｏｎ）がアクティブな状態では、ＵＥは、ＳＧＳＮ（ＧＰＲＳ  Ｓｕｐｐｏｒｔ  Ｎｏｄｅ、パケット交換機）＃１配下のセル（ｌｕ-Ｐｏｏｌ＃１）とＭＭＥ（Ｍｏｂｉｌｉｔｙ  Ｍａｎｅｇａｍｅｎｔ  Ｅｎｔｉｔｙ、移動管理ノード）＃１配下のセル（Ｓ１-Ｐｏｏｌ＃１）との間を移動した場合であっても、位置登録信号（ＴＡＵ（Ｔｒａｃｋｉｎｇ  Ａｒｅａ  Ｕｐｄａｔｅ）/ＲＡＵ（Ｒｏｕｔｉｎｇ  Ａｒｅａ  Ｕｐｄａｔｅ））の送信を省略することができるように構成されている。
【０００３】
ここで、ＨＳＳ（Ｈｏｍｅ  Ｓｕｂｓｃｒｉｂｅｒ  Ｓｅｒｖｅｒ、加入者管理サーバ）は、Ｅ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｃｃ  Ｎｅｔｗｏｒｋ）におけるＵＥの位置情報として、ＭＭＥ＃１配下のセル（Ｓ１-Ｐｏｏｌ＃１）を管理しており、ＵＴＲＡＮ（Ｕｎｉｖｅｒｓａｌ  Ｔｅｒｒｅｓｔｒｉａｌ  Ｒａｄｉｏ  Ａｃｃｅｃｃ  Ｎｅｔｗｏｒｋ）/ＧＥＲＡＮ（ＧＳＭ  ＥＤＧＥ  Ｒａｄｉｏ  Ａｃｃｅｃｃ  Ｎｅｔｗｏｒｋ）におけるＵＥの位置情報として、ＳＧＳＮ＃１配下のセル（ｌｕ-Ｐｏｏｌ＃１）を管理しているものとする。
【０００４】
また、ＵＥのＳ-ＧＷ（Ｓｅｒｖｉｏｎｇ  Ｇａｔｅｗａｙ、サービングゲートウェイ装置）が、ＩＳＲがアクティブ状態のＵＥ用のベアラ（ＥＢＩ（ＥＰＳ  Ｂｅａｒｅｒ  ＩＤ）＝０）として、ＭＭＥ＃１との間のＥＰＳ（Ｅｖｏｌｖｅｄ  Ｐａｃｋｅｔ  Ｓｙｓｔｅｍ）ベアラ及びＳＧＳＮ＃１との間のＥＰＳベアラを確立しているものとする。
【０００５】
図１２に示すように、ＵＥが、ＳＧＳＮ＃１配下のセル（ｌｕ-Ｐｏｏｌ＃１）からＭＭＥ＃１配下のセル（Ｓ１-Ｐｏｏｌ＃１）にハンドオーバ（Ｉｎｔｅｒ-ＲＡＴ  ＨＯ）した後、ＭＭＥ＃１配下のセル（Ｓ１-Ｐｏｏｌ＃１）からＳＧＳＮ＃２配下のセル（ｌｕ-Ｐｏｏｌ＃２）にハンドオーバした場合、Ｓ-ＧＷが、ＩＳＲがアクティブ状態のＵＥ用のＥＰＳベアラ（ＥＢＩ＝０）として、ＭＭＥ＃１との間のＥＰＳベアラ及びＳＧＳＮ＃１との間のＥＰＳベアラに加えて、ＳＧＳＮ＃２との間のＥＰＳベアラを確立するように構成されている。
【先行技術文献】
【非特許文献】
【０００６】
【非特許文献１】３ＧＰＰ  ＴＳ２３.４０１、５.３.３.３
【非特許文献２】３ＧＰＰ  ＴＳ２９.００２、８.１.３.３
【非特許文献３】３ＧＰＰ  ＴＳ２３.０６０、６.９.１.２.２
【非特許文献４】３ＧＰＰ  ＴＳ２９.２７４、７.２.９.１
【発明の概要】
【発明が解決しようとする課題】
【０００７】
図１３及び図１４に示すように、従来の３ＧＰＰで規定されている移動通信システムでは、図１２に示すハンドオーバが行われた場合（ステップＳ３００１）、ＨＳＳが、ＳＧＳＮ＃１に対して、ＵＥの位置情報を削除するように要求する「ＭＡＰ_ＣＬ」を送信し（ステップＳ３００６）、ＳＧＳＮ＃１が、Ｓ-ＧＷに対して、ＵＥ用のＥＰＳベアラ（ＥＢＩ＝０）を削除するように要求する「ＧＴＰｖ２_Ｄｅｌｅｔｅ  Ｓｅｓｓｉｏｎ  Ｒｅｑｕｅｓｔ」を送信する（ステップＳ３００８）ように構成されている。
【０００８】
ここで、Ｓ-ＧＷは、かかる「ＧＴＰｖ２_Ｄｅｌｅｔｅ  Ｓｅｓｓｉｏｎ  Ｒｅｑｕｅｓｔ」を受信すると、ＭＭＥ＃１との間のＥＰＳベアラ及びＳＧＳＮ＃１との間のＥＰＳベアラだけでなく、ＵＥによる通信で用いられているＳＧＳＮ＃２との間のＥＰＳベアラまで解放してしまうという問題点があった。
【０００９】
そこで、本発明は、上述の課題に鑑みてなされたものであり、移動局のＩＳＲがアクティブな状態における異ＲＡＴ間ハンドオーバ（Ｉｎｔｅｒ-ＲＡＴ  ＨＯ）を適切に行うことができる移動通信方法、コアネットワーク装置及びサービングゲートウェイ装置を提供することを目的とする。
【課題を解決するための手段】
【００１０】
本発明の第１の特徴は、移動局のＩＳＲがアクティブな状態において、加入者管理サーバが、該移動局の位置情報として、第１通信方式の第１コアネットワーク装置配下のセル及び第２通信方式の第２コアネットワーク装置配下のセルを管理している場合に、該移動局が、該第１コアネットワーク装置配下のセルから第２通信方式の第３コアネットワーク装置配下のセルにハンドオーバする移動通信方法であって、前記移動局のサービングゲートウェイ装置が、ＩＳＲがアクティブ状態の該移動局用のベアラとして、前記第１コアネットワーク装置との間のベアラ及び前記第２コアネットワーク装置との間のベアラに加えて、前記第３コアネットワーク装置との間のベアラを確立する工程と、前記加入者管理サーバが、前記第２通信方式における前記移動局の位置情報を、前記第２コアネットワーク装置配下のセルから前記第３コアネットワーク装置配下のセルに変更する工程と、前記加入者管理サーバが、前記第２コアネットワーク装置に対して、前記移動局の位置情報を削除するように要求する位置情報削除要求信号を送信する工程と、前記第２コアネットワーク装置が、前記位置情報削除要求信号に前記移動局の位置情報の更新を示す種別情報が含まれている場合に、前記サービングゲートウェイ装置に対して、該移動局用のベアラを削除するように要求するベアラ削除要求信号を送信することなく、該サービングゲートウェイ装置との間のベアラを解放する工程とを有することを要旨とする。
【００１１】
本発明の第２の特徴は、移動局のＩＳＲがアクティブな状態において、加入者管理サーバが、該移動局の位置情報として、第１通信方式の第１コアネットワーク装置配下のセル及び第２通信方式の第２コアネットワーク装置配下のセルを管理している場合に、該移動局が、該第１コアネットワーク装置配下のセルから第２通信方式の第３コアネットワーク装置配下のセルにハンドオーバする移動通信方法であって、前記移動局のサービングゲートウェイ装置が、ＩＳＲがアクティブ状態の該移動局用のベアラとして、前記第１コアネットワーク装置との間のベアラ及び前記第２コアネットワーク装置との間のベアラに加えて、前記第３コアネットワーク装置との間のベアラを確立する工程と、前記加入者管理サーバが、前記第２通信方式における前記移動局の位置情報を、前記第２コアネットワーク装置配下のセルから前記第３コアネットワーク装置配下のセルに変更する工程と、前記加入者管理サーバが、前記第２コアネットワーク装置に対して、前記移動局の位置情報を削除するように要求する位置情報削除要求信号を送信する工程と、前記第２コアネットワーク装置が、前記位置情報削除要求信号に応じて、前記サービングゲートウェイ装置に対して、前記移動局用のベアラを削除するように要求するベアラ削除要求信号を送信し、該サービングゲートウェイ装置との間のベアラを解放する工程と、前記サービングゲートウェイ装置が、前記第２コアネットワーク装置から、前記ベアラ削除要求信号を受信し、かつ、所定期間内に、前記移動局用のベアラを変更するように要求するベアラ変更要求信号を受信していない場合には、該移動局用のベアラの削除処理を行わない工程とを有することを要旨とする。
【００１２】
本発明の第３の特徴は、移動局のＩＳＲがアクティブな状態において、加入者管理サーバが、該移動局の位置情報として、第１通信方式の第１コアネットワーク装置配下のセル及び第２通信方式の第２コアネットワーク装置配下のセルを管理している場合に、該移動局が、該第１コアネットワーク装置配下のセルから第２通信方式の第３コアネットワーク装置配下のセルにハンドオーバすることができる移動通信システムにおいて、該第２コアネットワーク装置として動作することができるコアネットワーク装置であって、前記加入者管理サーバから、前記移動局の位置情報を削除するように要求する位置情報削除要求信号を受信した場合で、かつ、該位置情報削除要求信号に該移動局の位置情報の更新を示す種別情報が含まれている場合に、前記サービングゲートウェイ装置に対して、該移動局用のベアラを削除するように要求するベアラ削除要求信号を送信することなく、該サービングゲートウェイ装置との間のベアラを解放するように構成されていることを要旨とする。
【００１３】
本発明の第４の特徴は、移動局のＩＳＲがアクティブな状態において、加入者管理サーバが、該移動局の位置情報として、第１通信方式の第１コアネットワーク装置配下のセル及び第２通信方式の第２コアネットワーク装置配下のセルを管理している場合に、該移動局が、該第１コアネットワーク装置配下のセルから第２通信方式の第３コアネットワーク装置配下のセルにハンドオーバすることができる移動通信システムにおいて、該移動局のサービングゲートウェイ装置として動作することができるサービングゲートウェイ装置であって、前記第２コアネットワーク装置から、前記移動局用のベアラを削除するように要求するベアラ削除要求信号を受信し、かつ、該移動局用のベアラが他のサービングゲートウェイ装置において確立されていると判断した場合には、該移動局用のベアラの削除処理を行わないように構成されていることを要旨とする。
【発明の効果】
【００１４】
以上説明したように、本発明によれば、移動局のＩＳＲがアクティブな状態における異ＲＡＴ間ハンドオーバ（Ｉｎｔｅｒ-ＲＡＴ  ＨＯ）を適切に行うことができる移動通信方法、コアネットワーク装置及びサービングゲートウェイ装置を提供することができる。
【図面の簡単な説明】
【００１５】
【図１】本発明の第１の実施形態に係る移動通信システムの全体構成図である。
【図２】本発明の第１の実施形態に係るＳＧＳＮの機能ブロック図である。
【図３】本発明の第１の実施形態に係る移動通信システムの動作を示すシーケンス図である。
【図４】本発明の第１の実施形態に係る移動通信システムの動作を説明するための図である。
【図５】本発明の第１の実施形態に係るＨＳＳの動作を示すフローチャートである。
【図６】本発明の第１の実施形態に係るＳＧＳＮの動作を示すフローチャートである。
【図７】本発明の変更例１に係るＳ-ＧＷの機能ブロック図である。
【図８】本発明の変更例１に係る移動通信システムの動作を示すシーケンス図である。
【図９】本発明の変更例１に係る移動通信システムの動作を説明するための図である。
【図１０】本発明の変更例１に係るＳ-ＧＷの動作を示すフローチャートである。
【図１１】従来の移動通信システムについて説明するための図である。
【図１２】従来の移動通信システムについて説明するための図である。
【図１３】従来の移動通信システムについて説明するための図である。
【図１４】従来の移動通信システムについて説明するための図である。
【発明を実施するための形態】
【００１６】
（本発明の第１の実施形態に係る移動通信システム）
図１乃至図６を参照して、本発明の第１の実施形態に係る移動通信システムについて説明する。
【００１７】
図１に示すように、本実施形態に係る移動通信システムは、ＨＳＳと、Ｓ-ＧＷと、ＳＧＳＮ＃１と、ＳＧＳＮ＃２と、ＭＭＥ＃１とを具備している。
【００１８】
図２に示すように、ＳＧＳＮ＃１は、受信部１１と、判定部１２と、送信部１３とを具備している。
【００１９】
受信部１１は、ＨＳＳやＵＥ等から各種信号を受信するように構成されている。例えば、受信部１１は、ＨＳＳから「ＭＡＰ_ＣＬ」を受信するように構成されている。
【００２０】
判定部１２は、受信部１１によって受信された「ＭＡＰ_ＣＬ」に「Ｃａｎｃｅｌｌａｔｉｏｎ  ｔｙｐｅ＝Ｕｐｄａｔｅ  Ｐｒｏｃｅｄｕｒｅ」が含まれているか否かについて判定するように構成されている。
【００２１】
また、判定部１２は、かかる「ＭＡＰ_ＣＬ」に「Ｃａｎｃｅｌｌａｔｉｏｎ  ｔｙｐｅ＝Ｕｐｄａｔｅ  Ｐｒｏｃｅｄｕｒｅ」が含まれていると判定した場合に、かかる「ＭＡＰ_ＣＬ」に係るＵＥ用のＥＰＳベアラとして、ＩＳＲがアクティブ状態である通信中のＥＰＳベアラが存在するか否かについて判定するように構成されている。
【００２２】
さらに、判定部１２は、かかる「ＭＡＰ_ＣＬ」に「Ｃａｎｃｅｌｌａｔｉｏｎ  ｔｙｐｅ＝Ｕｐｄａｔｅ  Ｐｒｏｃｅｄｕｒｅ」が含まれていると判定した場合で、かつ、かかる「ＭＡＰ_ＣＬ」に係るＵＥ用のＥＰＳベアラとして、ＩＳＲがアクティブ状態である通信中のＥＰＳベアラが存在すると判定した場合に、Ｓ-ＧＷに対して、かかるＵＥ用のＥＰＳベアラを削除するように要求する「ＧＴＰｖ２_Ｄｅｌｅｔｅ  Ｓｅｓｓｉｏｎ  Ｒｅｑｕｅｓｔ」を送信することなく、Ｓ-ＧＷとの間のＥＰＳベアラを解放するように決定する。
【００２３】
一方、判定部１２は、かかる「ＭＡＰ_ＣＬ」に「Ｃａｎｃｅｌｌａｔｉｏｎ  ｔｙｐｅ＝Ｕｐｄａｔｅ  Ｐｒｏｃｅｄｕｒｅ」が含まれていると判定した場合で、かつ、かかる「ＭＡＰ_ＣＬ」に係るＵＥ用のＥＰＳベアラとして、ＩＳＲがアクティブ状態である通信中のＥＰＳベアラが存在しないと判定した場合に、送信部１３に対して、かかるＵＥ用のＥＰＳベアラを削除するように要求する「ＧＴＰｖ２_Ｄｅｌｅｔｅ  Ｓｅｓｓｉｏｎ  Ｒｅｑｕｅｓｔ」を送信するように指示する。
【００２４】
なお、判定部１２は、かかる「ＭＡＰ_ＣＬ」に「Ｃａｎｃｅｌｌａｔｉｏｎ  ｔｙｐｅ＝Ｕｐｄａｔｅ  Ｐｒｏｃｅｄｕｒｅ」が含まれていないと判定した場合には、かかる「ＭＡＰ_ＣＬ」に「Ｃａｎｃｅｌｌａｔｉｏｎ  ｔｙｐｅ」に対応する処理を行うように決定する。
【００２５】
送信部１３は、ＨＳＳやＵＥ等に対して各種信号を送信するように構成されている。
【００２６】
例えば、送信部１３は、上述の判定部１２からの指示に応じて、Ｓ-ＧＷに対して、かかるＵＥ用のＥＰＳベアラを削除するように要求する「ＧＴＰｖ２_Ｄｅｌｅｔｅ  Ｓｅｓｓｉｏｎ  Ｒｅｑｕｅｓｔ」を送信するように構成されている。
【００２７】
以下、図３乃至図６を参照して、本実施形態に係る移動通信システムの動作の一例について説明する。
【００２８】
第１に、図３及び図４を参照して、本実施形態に係る移動通信システムにおいて、ＵＥのＩＳＲがアクティブな状態で異ＲＡＴ間ハンドオーバが行われる場合の動作について説明する。
【００２９】
ステップＳ１０００において、ＵＥは、ＩＳＲがアクティブな状態で、ＭＭＥ＃１配下のセルを介して通信を行っているものとする。
【００３０】
ステップＳ１００１において、ＵＥは、ＭＭＥ＃１配下のセル（Ｓ１-Ｐｏｏｌ＃１）からＳＧＳＮ＃２配下のセル（ｌｕ-Ｐｏｏｌ＃２）にハンドオーバ（Ｉｎｔｅｒ-ＲＡＴ  ＨＯ）する。
【００３１】
ステップＳ１００２において、ＵＥは、ＳＧＳＮ＃２に対して、ＵＥの「Ｐ-ＴＭＳＩ」を含む「ＳＭＭ_ＲＡＵ  Ｒｅｑｕｅｓｔ」を送信し、ステップＳ１００３において、ＳＧＳＮ＃２は、ＨＳＳに対して、「ＭＡＰ_ＵＧＬ」を送信する。
【００３２】
ステップＳ１００４において、ＨＳＳは、ＳＧＳＮ＃２に対して、「ＭＡＰ_ＵＧＬ  Ａｃｋ」を送信し、ステップＳ１００５において、ＳＧＳＮ＃２は、ＵＥに対して、「ＧＭＭ_ＲＡＵ  Ａｃｃｅｐｔ」を送信する。
【００３３】
ステップＳ１００６において、ＨＳＳは、ＳＧＳＮ＃１に対して、「Ｃａｎｃｅｌｌａｔｉｏｎ  ｔｙｐｅ＝Ｕｐｄａｔｅ  Ｐｒｏｃｅｄｕｒｅ」を含む「ＭＡＰ_ＣＬ」を送信する。
【００３４】
ＳＧＳＮ＃１は、かかる「ＭＡＰ_ＣＬ」に「Ｃａｎｃｅｌｌａｔｉｏｎ  ｔｙｐｅ＝Ｕｐｄａｔｅ  Ｐｒｏｃｅｄｕｒｅ」が含まれていると判定し、かつ、かかる「ＭＡＰ_ＣＬ」に係るＵＥ用のＥＰＳベアラとして、ＩＳＲがアクティブ状態である通信中のＥＰＳベアラが存在しないと判定し、ステップＳ１００７において、ＨＳＳに対して、「ＭＡＰ_ＣＬ  Ａｃｋ」を送信し、ステップＳ１００８において、Ｓ-ＧＷとの間のＥＰＳベアラを解放する。
【００３５】
第２に、図５を参照して、図３及び図４に示す動作におけるＨＳＳの動作について説明する。
【００３６】
図５に示すように、ＨＳＳは、ステップＳ１０１において、ＳＧＳＮ＃２から「ＭＡＰ_ＵＧＬ」を受信すると（図３におけるステップＳ１００３）、ステップＳ１０２において、ＵＴＲＡＮ/ＧＥＲＡＮにおけるＵＥの位置情報がＳＧＳＮ＃１配下のセルから変更されたか否かについて判定する。
【００３７】
「Ｙｅｓ」の場合、本動作は、ステップＳ１０３に進み、「Ｎｏ」の場合、本動作は、終了する。
【００３８】
ステップＳ１０３において、ＨＳＳは、ＳＧＳＮ＃１に対して、「Ｃａｎｃｅｌｌａｔｉｏｎ  ｔｙｐｅ＝Ｕｐｄａｔｅ  Ｐｒｏｃｅｄｕｒｅ」を含む「ＭＡＰ_ＣＬ」を送信する（図３におけるステップＳ１００６）。
【００３９】
第３に、図６を参照して、図３及び図４に示す動作におけるＳＧＳＮ＃１の動作について説明する。
【００４０】
図６に示すように、ＳＧＳＮ＃１は、ステップＳ２０１において、ＨＳＳから「ＭＡＰ_ＣＬ」を受信すると、ステップＳ２０２において、かかる「ＭＡＰ_ＣＬ」に「Ｃａｎｃｅｌｌａｔｉｏｎ  ｔｙｐｅ＝Ｕｐｄａｔｅ  Ｐｒｏｃｅｄｕｒｅ」が含まれているか否かについて判定する。
【００４１】
「Ｙｅｓ」の場合、本動作は、ステップＳ２０３に進み、「Ｎｏ」の場合、本動作は、ステップＳ２０６に進む。
【００４２】
ステップＳ２０３において、ＳＧＳＮ＃１は、かかる「ＭＡＰ_ＣＬ」に係るＵＥのＥＰＳベアラとして、ＩＳＲがアクティブの状態の通信中のＥＰＳベアラが存在するか否かについて判定する。
【００４３】
「Ｙｅｓ」の場合、本動作は、ステップＳ２０４に進み、「Ｎｏ」の場合、本動作は、ステップＳ２０５に進む。
【００４４】
ステップＳ２０４において、ＳＧＳＮ＃１は、Ｓ-ＧＷに対して、かかるＵＥ用のＥＰＳベアラを削除するように要求する「ＧＴＰｖ２_Ｄｅｌｅｔｅ  Ｓｅｓｓｉｏｎ  Ｒｅｑｕｅｓｔ」を送信する。
【００４５】
ステップＳ２０５において、ＳＧＳＮ＃１は、「Ｃａｎｃｅｌｌａｔｉｏｎ  ｔｙｐｅ＝Ｕｐｄａｔｅ  Ｐｒｏｃｅｄｕｒｅ」に対応する処理を行う、すなわち、Ｓ-ＧＷとの間のＥＰＳベアラを解放する。
【００４６】
ステップＳ２０６において、ＳＧＳＮ＃１は、「ＭＡＰ_ＣＬ」に含まれている「Ｃａｎｃｅｌｌａｔｉｏｎ  ｔｙｐｅ」に対応する処理を行う。
【００４７】
本実施形態に係る移動通信システムによれば、移動局のＩＳＲがアクティブな状態における異ＲＡＴ間ハンドオーバ（Ｉｎｔｅｒ-ＲＡＴ  ＨＯ）が行われた場合に、ＳＧＳＮ＃１が、ＨＳＳから受信した「ＭＡＰ_ＣＬ」に「Ｃａｎｃｅｌｌａｔｉｏｎ  ｔｙｐｅ＝Ｕｐｄａｔｅ  Ｐｒｏｃｅｄｕｒｅ」が含まれていると判定した場合で、かつ、かかる「ＭＡＰ_ＣＬ」に係るＵＥ用のＥＰＳベアラとして、ＩＳＲがアクティブ状態である通信中のＥＰＳベアラが存在すると判定した場合に、Ｓ-ＧＷに対して、かかるＵＥ用のＥＰＳベアラを削除するように要求する「ＧＴＰｖ２_Ｄｅｌｅｔｅ  Ｓｅｓｓｉｏｎ  Ｒｅｑｕｅｓｔ」を送信することなく、Ｓ-ＧＷとの間のＥＰＳベアラを解放するように構成されているため、ＵＥによる通信で用いられているＳ-ＧＷとＳＧＳＮ＃２との間のＥＰＳベアラまで解放してしまうという問題点を解決することができる。
【００４８】
（変更例１）
以下、図７乃至図１０を参照して、本発明の変更例１に係る移動通信システムについて、上述の第１の実施携帯に係る移動通信システムとの相違点に着目して説明する。
【００４９】
本変更例１に係る移動通信システムでは、図７に示すように、Ｓ-ＧＷが、受信部２１と、判定部２２と、送信部２３とを具備している。
【００５０】
受信部２１は、ＳＧＳＮ＃１やＳＧＳＮ＃２やＭＭＥ＃１等から各種信号を受信するように構成されている。例えば、受信部２１は、ＳＧＳＮ＃１から「ＧＴＰｖ２_Ｄｅｌｅｔｅ  Ｓｅｓｓｉｏｎ  Ｒｅｑｕｅｓｔ」を受信するように構成されている。
【００５１】
判定部２２は、受信部２１によって、ＵＥ用のＥＰＳベアラに対する「ＧＴＰｖ２_Ｄｅｌｅｔｅ  Ｓｅｓｓｉｏｎ  Ｒｅｑｕｅｓｔ」が受信された場合に、所定期間内に、ＵＥ用のＥＰＳベアラを変更するように要求する「Ｍｏｄｉｆｙ  Ｂｅａｒｅｒ  Ｒｅｑｕｅｓｔ」が受信されているか否かについて判定するように構成されている。
【００５２】
例えば、所定期間は、受信部２１による「ＧＴＰｖ２_Ｄｅｌｅｔｅ  Ｓｅｓｓｉｏｎ  Ｒｅｑｕｅｓｔ」の受信時刻の前の所定期間であってもよい。
【００５３】
ここで、判定部２２は、受信部２１によって、ＵＥ用のＥＰＳベアラに対する「ＧＴＰｖ２_Ｄｅｌｅｔｅ  Ｓｅｓｓｉｏｎ  Ｒｅｑｕｅｓｔ」が受信され、所定期間内に、ＵＥ用のＥＰＳベアラを変更するように要求する「Ｍｏｄｉｆｙ  Ｂｅａｒｅｒ  Ｒｅｑｕｅｓｔ」が受信されていないと判定した場合に、かかるＵＥ用のＥＰＳベアラの削除処理を行わないことを決定する。
【００５４】
また、判定部２２は、ＳＧＳＮ＃１から、ＵＥ用のＥＰＳベアラに対する「ＧＴＰｖ２_Ｄｅｌｅｔｅ  Ｓｅｓｓｉｏｎ  Ｒｅｑｕｅｓｔ」を受信し、かかるＵＥ用のＥＰＳベアラが他のＳ-ＧＷにおいて確立されていると判断した場合には、ＵＥ用のＥＰＳベアラの削除処理を行わないことを決定するように構成されていてもよい。
【００５５】
送信部２３は、ＳＧＳＮ＃１やＳＧＳＮ＃２やＭＭＥ＃１等に対して各種信号を送信するように構成されている。
【００５６】
例えば、送信部２３は、ＳＧＳＮ＃１に対して「ＧＴＰｖ２_Ｄｅｌｅｔｅ  Ｓｅｓｓｉｏｎ  Ｒｅｓｐｏｎｓｅ」を送信するように構成されている。
【００５７】
以下、図８乃至図１０を参照して、本変更例１に係る移動通信システムの動作の一例について説明する。
【００５８】
第１に、図８及び図９を参照して、本変更例１に係る移動通信システムにおいて、ＵＥのＩＳＲがアクティブな状態で異ＲＡＴ間ハンドオーバが行われる場合の動作について説明する。
【００５９】
図８に示すステップＳ２０００乃至Ｓ２００６の動作は、図３に示すステップＳ１０００乃至Ｓ１００６の動作と同一である。
【００６０】
ＳＧＳＮ＃１は、「Ｃａｎｃｅｌｌａｔｉｏｎ  ｔｙｐｅ＝Ｕｐｄａｔｅ  Ｐｒｏｃｅｄｕｒｅ」を含む「ＭＡＰ_ＣＬ」を受信すると、ステップＳ２００７において、ＨＳＳに対して「ＭＡＰ_ＣＬ  Ａｃｋ」を送信し、ステップＳ２００８において、Ｓ-ＧＷに対して、ＵＥ用のＥＰＳベアラ（ＥＢＩ＝０）に対する「ＧＴＰｖ２_Ｄｅｌｅｔｅ  Ｓｅｓｓｉｏｎ  Ｒｅｑｕｅｓｔ」を送信する。
【００６１】
ステップＳ２００９において、Ｓ-ＧＷは、ＳＧＳＮ＃２から、所定期間内に、ＵＥ用のＥＰＳベアラを変更するように要求する「Ｍｏｄｉｆｙ  Ｂｅａｒｅｒ  Ｒｅｑｕｅｓｔ」が受信されていないため、ＵＥ用のＥＰＳベアラに対する「ＧＴＰｖ２_Ｄｅｌｅｔｅ  Ｓｅｓｓｉｏｎ  Ｒｅｑｕｅｓｔ」を受け付けない、すなわち、かかるＵＥ用のＥＰＳベアラの削除処理を行わない。
【００６２】
第２に、図１０を参照して、図８及び図９に示す動作におけるＳ-ＧＷの動作について説明する。
【００６３】
図１０に示すように、Ｓ-ＧＷは、ステップＳ３０１において、ＳＧＳＮ＃２から、「ＧＴＰｖ２_Ｄｅｌｅｔｅ  Ｓｅｓｓｉｏｎ  Ｒｅｑｕｅｓｔ」を受信すると、ステップＳ３０２において、所定期間内に、ＵＥ用のＥＰＳベアラを変更するように要求する「Ｍｏｄｉｆｙ  Ｂｅａｒｅｒ  Ｒｅｑｕｅｓｔ」が受信されているか否かについて判定する。
【００６４】
「Ｙｅｓ」の場合、本動作は、終了し、「Ｎｏ」の場合、本動作は、ステップＳ３０３に進む。
【００６５】
ステップＳ３０３において、Ｓ-ＧＷは、ＵＥ用のＥＰＳベアラに対する「ＧＴＰｖ２_Ｄｅｌｅｔｅ  Ｓｅｓｓｉｏｎ  Ｒｅｑｕｅｓｔ」を受け付ける、すなわち、ＵＥ用のＥＰＳベアラの削除処理（解放処理）を行う。
【００６６】
本変更例１に係る移動通信システムによれば、移動局のＩＳＲがアクティブな状態における異ＲＡＴ間ハンドオーバ（Ｉｎｔｅｒ-ＲＡＴ  ＨＯ）が行われた場合に、Ｓ-ＧＷが、ＳＧＳＮ＃２から、ＵＥ用のＥＰＳベアラに対する「ＧＴＰｖ２_Ｄｅｌｅｔｅ  Ｓｅｓｓｉｏｎ  Ｒｅｑｕｅｓｔ」を受信し、所定期間内に、ＵＥ用のＥＰＳベアラを変更するように要求する「Ｍｏｄｉｆｙ  Ｂｅａｒｅｒ  Ｒｅｑｕｅｓｔ」を受信していない場合には、かかるＵＥ用のＥＰＳベアラの削除処理を行わないように構成されているため、ＵＥによる通信で用いられているＳ-ＧＷとＳＧＳＮ＃２との間のＥＰＳベアラまで解放してしまうという問題点を解決することができる。
【００６７】
以上に述べた本実施形態の特徴は、以下のように表現されていてもよい。
【００６８】
本実施形態の第１の特徴は、ＵＥ（移動局）のＩＳＲがアクティブな状態において、ＨＳＳ（加入者管理サーバ）が、ＵＥの位置情報として、ＭＭＥ＃１（第１通信方式の第１コアネットワーク装置）配下のセル及びＳＧＳＮ＃１（第２通信方式の第２コアネットワーク装置）配下のセルを管理している場合に、ＵＥが、ＭＭＥ＃１配下のセルからＳＧＳＮ＃２（第２通信方式の第３コアネットワーク装置）配下のセルにハンドオーバする移動通信方法であって、ＵＥのＳ-ＧＷ（サービングゲートウェイ装置）が、ＩＳＲがアクティブ状態のＵＥ用のＥＰＳベアラ（ＥＢＩ＝０）として、ＭＭＥ＃１との間のＥＰＳベアラ及びＳＧＳＮ＃１との間のＥＰＳベアラに加えて、ＳＧＳＮ＃２との間のＥＰＳベアラを確立する工程と、ＨＳＳが、ＵＴＲＡＮ/ＧＥＲＡＮ（第２通信方式）におけるＵＥの位置情報を、ＳＧＳＮ＃１配下のセルからＳＧＳＮ＃２配下のセルに変更する工程と、ＨＳＳが、ＳＧＳＮ＃１に対して、ＵＥの位置情報を削除するように要求する「ＭＡＰ_ＣＬ（位置情報削除要求信号）」を送信する工程と、ＳＧＳＮ＃１が、かかる「ＭＡＰ_ＣＬ」に「Ｃａｎｃｅｌｌａｔｉｏｎ  ｔｙｐｅ＝Ｕｐｄａｔｅ  Ｐｒｏｃｅｄｕｒｅ（ＵＥの位置情報の更新を示す種別情報）」が含まれている場合に、Ｓ-ＧＷに対して、ＵＥ用のＥＰＳベアラを削除するように要求する「ＧＴＰｖ２_Ｄｅｌｅｔｅ  Ｓｅｓｓｉｏｎ  Ｒｅｑｕｅｓｔ（ベアラ削除要求信号）」を送信することなく、Ｓ-ＧＷ装置との間のＥＰＳベアラを解放する工程とを有することを要旨とする。
【００６９】
本実施形態の第２の特徴は、ＵＥのＩＳＲがアクティブな状態において、ＨＳＳが、ＵＥの位置情報として、ＭＭＥ＃１配下のセル及びＳＧＳＮ＃１配下のセルを管理している場合に、ＵＥが、ＭＭＥ＃１配下のセルからＳＧＳＮ＃２配下のセルにハンドオーバする移動通信方法であって、ＵＥのＳ-ＧＷが、ＩＳＲがアクティブ状態のＵＥ用のベアラ（ＥＢＩ＝０）として、ＭＭＥ＃１との間のＥＰＳベアラ及びＳＧＳＮ＃１との間のＥＰＳベアラに加えて、ＳＧＳＮ＃２との間のＥＰＳベアラを確立する工程と、ＨＳＳが、ＵＴＲＡＮ/ＧＥＲＡＮにおけるＵＥの位置情報を、ＳＧＳＮ＃１配下のセルからＳＧＳＮ＃２配下のセルに変更する工程と、ＨＳＳが、ＳＧＳＮ＃１に対して、ＵＥの位置情報を削除するように要求する「ＭＡＰ_ＣＬ」を送信する工程と、ＳＧＳＮ＃１が、かかる「ＭＡＰ_ＣＬ」に応じて、Ｓ-ＧＷに対して、ＵＥ用のＥＰＳベアラを削除するように要求する「ＧＴＰｖ２_Ｄｅｌｅｔｅ  Ｓｅｓｓｉｏｎ  Ｒｅｑｕｅｓｔ」を送信し、Ｓ-ＧＷとの間のＥＰＳベアラを解放する工程と、Ｓ-ＧＷが、ＳＧＳＮ＃１から、ＵＥ用のＥＰＳベアラに対する「ＧＴＰｖ２_Ｄｅｌｅｔｅ  Ｓｅｓｓｉｏｎ  Ｒｅｑｕｅｓｔ」を受信し、所定期間内に、ＵＥ用のＥＰＳベアラを変更するように要求する「Ｍｏｄｉｆｙ  Ｂｅａｒｅｒ  Ｒｅｑｕｅｓｔ」を受信していない場合には、かかるＵＥ用のＥＰＳベアラの削除処理を行わない工程とを有することを要旨とする。
【００７０】
本実施形態の第３の特徴は、ＵＥのＩＳＲがアクティブな状態において、ＨＳＳが、ＵＥの位置情報として、ＭＭＥ＃１配下のセル及びＳＧＳＮ＃１配下のセルを管理している場合に、ＵＥが、ＭＭＥ＃１配下のセルからＳＧＳＮ＃２配下のセルにハンドオーバすることができる移動通信システムにおいて、ＳＧＳＮ＃１として動作することができるＳＧＳＮ（コアネットワーク装置）であって、ＨＳＳから、「ＭＡＰ_ＣＬ」を受信した場合で、かつ、かかる「ＭＡＰ_ＣＬ」に「Ｃａｎｃｅｌｌａｔｉｏｎ  ｔｙｐｅ＝Ｕｐｄａｔｅ  Ｐｒｏｃｅｄｕｒｅ」が含まれている場合に、Ｓ-ＧＷに対して、ＵＥ用のＥＰＳベアラを削除するように要求する「ＧＴＰｖ２_Ｄｅｌｅｔｅ  Ｓｅｓｓｉｏｎ  Ｒｅｑｕｅｓｔ」を送信することなく、Ｓ-ＧＷとの間のＥＰＳベアラを解放するように構成されていることを要旨とする。
【００７１】
本実施形態の第４の特徴は、ＵＥのＩＳＲがアクティブな状態において、ＨＳＳが、ＵＥの位置情報として、ＭＭＥ＃１配下のセル及びＳＧＳＮ＃１配下のセルを管理している場合に、ＵＥが、ＭＭＥ＃１配下のセルからＳＧＳＮ＃２配下のセルにハンドオーバすることができる移動通信システムにおいて用いられるＳ-ＧＷであって、ＳＧＳＮ＃１から、ＵＥ用のＥＰＳベアラに対する「ＧＴＰｖ２_Ｄｅｌｅｔｅ  Ｓｅｓｓｉｏｎ  Ｒｅｑｕｅｓｔ」を受信し、かかるＵＥ用のＥＰＳベアラが他のＳ-ＧＷにおいて確立されていると判断した場合には、ＵＥ用のＥＰＳベアラの削除処理を行わないように構成されていることを要旨とする。
【００７２】
なお、上述のＵＥやｅＮＢやＭＭＥ＃１やＳＧＳＮ＃１/ＳＧＳＮ＃２やＳ-ＧＷやＨＳＳ等の動作は、ハードウェアによって実施されてもよいし、プロセッサによって実行されるソフトウェアモジュールによって実施されてもよいし、両者の組み合わせによって実施されてもよい。
【００７３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥやｅＮＢやＭＭＥ＃１やＳＧＳＮ＃１/ＳＧＳＮ＃２やＳ-ＧＷやＨＳＳ等内に設けられていてもよい。また、かかる記憶媒体及びプロセッサは、ディスクリートコンポーネントとしてＵＥやｅＮＢやＭＭＥ＃１やＳＧＳＮ＃１/ＳＧＳＮ＃２やＳ-ＧＷやＨＳＳ等内に設けられていてもよい。
【００７５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７６】
ＵＥ…移動局
ｅＮＢ…無線基地局
ＭＭＥ＃１…移動管理ノード
ＳＧＳＮ＃１、ＳＧＳＮ＃２…パケット交換機
Ｓ-ＧＷ…サービングゲートウェイ装置
ＨＳＳ…加入者管理サーバ
１１、２１…受信部
１２、２２…判定部
１３、２３…送信部
【図１】
2013055497.tif 000003
【図２】
2013055497.tif 000004
【図３】
2013055497.tif 000005
【図４】
2013055497.tif 000006
【図５】
2013055497.tif 000007
【図６】
2013055497.tif 000008
【図７】
2013055497.tif 000009
【図８】
2013055497.tif 000010
【図９】
2013055497.tif 000011
【図１０】
2013055497.tif 000012
【図１１】
2013055497.tif 000013
【図１２】
2013055497.tif 000014
【図１３】
2013055497.tif 000015
【図１４】
2013055497.tif 000016